(57)【特許請求の範囲】
【請求項１】
鉄筋コンクリート建造物のコンクリート梁やコンクリート柱の中に埋設されると共に、コンクリート梁やコンクリート柱の中の鉄筋の端部に固定され、コンクリート梁やコンクリート柱に於ける鉄筋端部の定着強度を高められるように構成した鉄筋用定着具であって、螺旋突条付き鉄筋の端部に螺着可能な適宜金属製の定着具本体と、この定着具本体に設けた栓体取付部に装着される栓体とからなり、定着具本体は、その内周面が雌ネジ孔となって、螺旋突条付き鉄筋に螺着可能となるよう形成される比較的厚肉な略短筒状の筒部と、この筒部の一端外周面に周設される略厚肉円盤状のフランジ部とを備え、筒部は、その外周面が略多角形状に形成され、雌ネジ孔は、鉄筋外表面との間で僅かな隙間ができるように、螺旋突条より稍大きく形成され、筒部の一端には栓体取付部を設けると共に、この栓体取付部には装着孔を設け、この装着孔は、フランジ部より一端がわに若干突出するように形成された筒部の一端部分中央に、鉄筋の外径より大きな略円孔状に形成され、栓体は、定着具本体の装着孔を閉塞するように装着されると共に、その中央に穿設した比較的小さな注入孔から定着具本体の雌ネジ孔内表面と鉄筋外表面との間の隙間に適宜連結剤を注入できるよう構成され、栓体取付部に設けたネジ部に螺合するネジ部を栓体に設けたことを特徴とする鉄筋用定着具。
【請求項２】
栓体は、適宜金属材や、適宜合成樹脂材や、適宜複合材等によって一体的に形成されると共に、装着孔に合致するような略横向き短有底円筒状に形成され、その外周面にネジ部が設けられ、その底板部中央に比較的小さな略円孔状の注入孔が穿設され、その開放されている他端がわ内に、鉄筋の端部が収容できるように構成したことを特徴とする請求項１記載の鉄筋用定着具。
【請求項３】
栓体の他端面がわには、注入孔から注入された連結剤が雌ネジ孔内表面と鉄筋外表面との隙間に移動できるような複数の放射状案内溝を切設したことを特徴とする請求項１または請求項２記載の鉄筋用定着具。
【発明の詳細な説明】
【０００１】
【発明の属する技術分野】
本発明は、主に、鉄筋コンクリート建造物のコンクリート梁やコンクリート柱の中に埋設されると共に、コンクリート梁やコンクリート柱の中で鉄筋の端部に固定され、コンクリート梁やコンクリート柱に於ける鉄筋端部の定着強度を高められるように構成した鉄筋コンクリート建造物の鉄筋用定着具に係り、特に、その製造や、固定作業等がより簡単に行えるように工夫した鉄筋用定着具に関するものである。
【０００２】
【従来の技術】
従来、この種の鉄筋用定着具としては種々のものが提供されており、例えば、ネジ鉄筋の端部に螺合する雌ネジ部を内周に形成してなる筒部と、上記筒部の一端を塞ぐ閉塞部と、筒部の当該一端から径方向、外方向に延出される鍔部とを有し、この閉鎖部にグラウト注入口を形成してなる板形状のベースとを備えた定着金物等が利用されている（例えば、特開平１０‐１５９２５７号公報に記載されているような定着金物等）。
【０００３】
【発明が解決しようとする課題】
ところが、前述の如き定着金物にあっては、定着金物自体が鋳物等によって構成されているが、雌ネジ部に対してクラウド注入口がかなり小さいために、その製造が比較的面倒となる難点があった。また、グラウド注入口が小さいため、定着金物内の鉄筋の螺着状態を視認し難い難点等があった。
【０００４】
【課題を解決するための手段】
そこで、本発明は、前述の如き難点等を解消し、定着具の製造が簡単に行え、鉄筋との螺着状態が容易に確認でき、取扱いが容易で、使い勝手の優れた鉄筋用定着具を提供できるようにすべく創出されたものである。
しかして、請求項１記載の鉄筋用定着具にあっては、鉄筋コンクリート建造物のコンクリート梁やコンクリート柱の中に埋設されると共に、コンクリート梁やコンクリート柱の中の鉄筋２０の端部に固定され、コンクリート梁やコンクリート柱に於ける鉄筋２０端部の定着強度を高められるように構成した鉄筋用定着具であって、螺旋突条２１付き鉄筋２０の端部に螺着可能な適宜金属製の定着具本体Ａと、この定着具本体Ａに設けた栓体取付部６に装着される栓体Ｂとからなり、定着具本体Ａは、その内周面が雌ネジ孔３となって、螺旋突条２１付き鉄筋２０に螺着可能となるよう形成される比較的厚肉な略短筒状の筒部１と、この筒部１の一端外周面に周設される略厚肉円盤状のフランジ部２とを備え、筒部１は、その外周面が略多角形状に形成され、雌ネジ孔３は、鉄筋２０外表面との間で僅かな隙間ができるように、螺旋突条２１より稍大きく形成され、筒部１の一端には栓体取付部６を設けると共に、この栓体取付部６には装着孔４を設け、この装着孔４は、フランジ部２より一端がわに若干突出するように形成された筒部１の一端部分中央に、鉄筋２０の外径より大きな略円孔状に形成され、栓体Ｂは、定着具本体Ａの装着孔４を閉塞するように装着されると共に、その中央に穿設した比較的小さな注入孔１２から定着具本体Ａの雌ネジ孔３内表面と鉄筋２０外表面との間の隙間に適宜連結剤を注入できるよう構成され、栓体取付部６に設けたネジ部７に螺合するネジ部１４を栓体Ｂに設ける手段を採用した。
【０００５】
また、請求項２記載の鉄筋用定着具にあっては、栓体Ｂは、適宜金属材や、適宜合成樹脂材や、適宜複合材等によって一体的に形成されると共に、装着孔４に合致するような略横向き短有底円筒状に形成され、その外周面にネジ部１４が設けられ、その底板部中央に比較的小さな略円孔状の注入孔１２が穿設され、その開放されている他端がわ内に、鉄筋２０の端部が収容できるように構成する手段を採用した。
【０００６】
更に、請求項３記載の鉄筋用定着具にあっては、栓体Ｂの他端面がわには、注入孔１２から注入された連結剤が雌ネジ孔３内表面と鉄筋２０外表面との隙間に移動できるような複数の放射状案内溝を切設する手段を採用した。
【０００７】
【発明の実施の形態】
以下、本発明を図示例に基づいて説明すると、次の通りである。
本発明は、例えば、鉄筋コンクリート建造物のコンクリート梁や、コンクリート柱の中に埋設されるようになると共に、コンクリート梁や、コンクリート柱の中で鉄筋２０の端部に固定されるようになって、コンクリート梁やコンクリート柱に於ける鉄筋２０端部の定着強度を高められるように構成した鉄筋コンクリート建造物の鉄筋用定着具である。
【０００８】
そして、この鉄筋用定着具は、適宜螺旋突条２１が外表面に突設されている鉄筋２０の端部に螺着可能な適宜金属製の定着具本体Ａと、この定着具本体Ａに設けた栓体取付部６に装着可能となるよう形成される栓体Ｂとからなる。尚、適宜螺旋突条２１自体は、例えば、一条の螺旋でも良いし、複数条の螺旋でも良いし、連続的な螺旋でも良いし、或いは、不連続な螺旋でも良い。
【０００９】
更に、前記定着具本体Ａは、鉄筋２０の螺旋突条２１に螺合する雌ネジ孔３が内周面に形成されている略筒状の筒部１と、この筒部１の一端外周面に連設されると共に、その外周部が筒部１より大径となる略厚肉円盤状のフランジ部２とを備えた構成となっている。しかも、筒部１の一端には栓体取付部６を設けると共に、この栓体取付部６には装着孔４が設けてある。
【００１０】
一方、栓体Ｂは、定着具本体Ａの装着孔４を閉塞できるように形成され、その中央に穿設した小径な注入孔１２から、定着具本体Ａの雌ネジ孔３内表面と鉄筋２０外表面との間に設けられる隙間に適宜連結剤を注入できるように構成されている。
尚、栓体Ｂの他端面がわには、例えば、注入孔１２から注入された連結剤が雌ネジ孔３内表面と鉄筋２０外表面との隙間にスムーズに移動できるような複数の放射状案内溝等を切設するようにしても良い（図示せず）。
【００１１】
前記定着具本体Ａの筒部１は、例えば、比較的厚肉な略短筒状を呈し、その外周面は、略多角形状に形成されている。すなわち、定着具本体Ａを鉄筋２０に螺着する際に、筒部１をスパナ等によって確実に挟むことができるように形成されている。
そして、フランジ部２は、その外周部分が筒部１の外表面より突出して、定着具本体Ａ自身の定着安定性が良くなるように形成されている。
【００１２】
また、筒部１の雌ネジ孔３は、鉄筋２０の螺旋突条２１に対応するように形成され、螺旋突条２１に確実に螺着するように形成されている。
しかも、雌ネジ孔３は、鉄筋２０に螺着せしめたときに、鉄筋２０外表面との間で僅かな隙間ができるように、螺旋突条２１より稍大きく形成されるようになる。すなわち、雌ネジ孔３内表面と鉄筋２０外表面との間に連結剤がスムーズに充填されるように形成される。
【００１３】
更に、図に示す定着具本体Ａの装着孔４は、フランジ部２より一端がわに若干突出するように形成された筒部１の一端部分中央に、雌ネジ孔３の谷の径（鉄筋２０の外径）より大きな略円孔状に形成されており、しかも、この装着孔４部分の内周面には適宜ネジ部７（例えば、雌ネジ）が設けられている。そして、この装着孔４部分が栓体取付部６となっている。すなわち、後述する栓体Ｂの外周面に設けた適宜ネジ部１４（例えば、雄ネジ）と、定着具本体Ａのネジ部７とによって、栓体Ｂが定着具本体Ａの栓体取付部６に装着できるよう形成されている。尚、装着孔４部分（栓体取付部６）の外周面にネジ部７（雄ネジ）を設け、栓体Ｂの内周面にネジ部１４（雌ネジ）を設けるようにしても良い。
【００１４】
それから、図に示すような栓体Ｂは、例えば、適宜金属材や、適宜合成樹脂材や、適宜複合材等によって一体的に構成されるもので、装着孔４に合致するような略横向き短有底円筒状に形成され、その外周面にネジ部１４が設けられ、その底板部中央に比較的小さな略円孔状の注入孔１２を穿設して形成されている。しかも、栓体Ｂは、その開放されている他端がわ内に、鉄筋２０の端部が収容できるように構成されている。すなわち、鉄筋２０の端部が定着具本体Ａの一端がわから僅かに突出した状態で定着具本体Ａを鉄筋２０に固定することができるように構成されている。
【００１５】
尚、鉄筋用定着具の具体的構成、形状、寸法、材質、定着具本体Ａの具体的構成、形状、寸法、材質、筒部１の具体的構成、形状、寸法、材質、フランジ部２の具体的構成、形状、寸法、雌ネジ孔３の具体的構成、形状、寸法、装着孔４の具体的構成、形状、寸法、配設位置、栓体取付部６の具体的構成、形状、寸法、ネジ部７の具体的構成、形状、寸法、配設位置、栓体Ｂの具体的構成、形状、寸法、材質、注入孔１２の具体的構成、形状、寸法、数、配設位置、ネジ部１４の具体的構成、形状、寸法、配設位置、鉄筋２０の具体的構成、形状、寸法、螺旋突条２１の具体的構成、形状、寸法等は図示例等に限定されることなく適宜自由に設定、変更できるものである。
【００１６】
本発明の鉄筋用定着具は、前述の如く構成されており、次に、その使用例について説明する。
先ず、定着具本体Ａを、梁型枠や柱型枠内の所望位置に配すると共に、予め所望位置に配されている鉄筋２０の端部に螺着する。このとき、鉄筋２０の先端が定着具本体Ａの装着孔４の所定位置にあるのか否かを、装着孔４から視認する。
次に、装着孔４に栓体Ｂを装着し、その後、栓体Ｂの注入孔１２から適宜連結剤を注入し、定着具本体Ａの雌ネジ孔３と鉄筋２０との間の隙間に連結剤を充填せしめて、鉄筋２０と定着具本体Ａとを連結固定する。
【００１７】
【発明の効果】
従って、請求項１記載の鉄筋用定着具によれば、鉄筋コンクリート建造物のコンクリート梁やコンクリート柱の中に埋設されると共に、コンクリート梁やコンクリート柱の中の鉄筋２０の端部に固定され、コンクリート梁やコンクリート柱に於ける鉄筋２０端部の定着強度を高められるように構成した鉄筋用定着具であって、螺旋突条２１付き鉄筋２０の端部に螺着可能な適宜金属製の定着具本体Ａと、この定着具本体Ａに設けた栓体取付部６に装着される栓体Ｂとからなり、定着具本体Ａは、その内周面が雌ネジ孔３となって、螺旋突条２１付き鉄筋２０に螺着可能となるよう形成される比較的厚肉な略短筒状の筒部１と、この筒部１の一端外周面に周設される略厚肉円盤状のフランジ部２とを備え、筒部１は、その外周面が略多角形状に形成され、雌ネジ孔３は、鉄筋２０外表面との間で僅かな隙間ができるように、螺旋突条２１より稍大きく形成され、筒部１の一端には栓体取付部６を設けると共に、この栓体取付部６には装着孔４を設け、この装着孔４は、フランジ部２より一端がわに若干突出するように形成された筒部１の一端部分中央に、鉄筋２０の外径より大きな略円孔状に形成され、栓体Ｂは、定着具本体Ａの装着孔４を閉塞するように装着されると共に、その中央に穿設した比較的小さな注入孔１２から定着具本体Ａの雌ネジ孔３内表面と鉄筋２０外表面との間の隙間に適宜連結剤を注入できるよう構成され、栓体取付部６に設けたネジ部７に螺合するネジ部１４を栓体Ｂに設けたので、比較的小さく形成される注入孔１２を栓体Ｂに設けられ、栓体取付部６の装着孔４を比較的大きく設定できるようになり、鋳物等によって成型される定着具本体Ａを製造し易くなる。ひいては、定着具本体Ａ及び栓体Ｂの製造が簡単に行えるようになる。しかも、構成が簡素となり、量産に適し、低廉に提供できる経済的な鉄筋用定着具となる。
加えて、この鉄筋用定着具によれば、定着具本体Ａの装着孔４に栓体Ｂを簡単に装着でき、例えば、鉄筋２０に定着具本体Ａを螺着させた後に、栓体Ｂを定着具本体Ａに簡単に装着できるようになるため、鉄筋２０と定着具本体Ａとの螺着状態（定着具本体Ａの雌ネジ孔３内に於ける鉄筋２０の螺着位置）を容易に確認（視認）できるようになり、施工管理がし易く、取扱いが容易で、使い勝手の優れたものとなる。
【００１８】
また、栓体取付部６に設けたネジ部７に螺合するネジ部１４を栓体Ｂに設けたので、栓体Ｂの定着具本体Ａの栓体取付部６への装着がネジ部７、１４によって簡単に行えるようになると共に、栓体Ｂが栓体取付部６から簡単に逸脱しないものとなる。しかも、栓体Ｂ自身の構成がより簡素となり、製造容易で、量産に適し、より低廉に提供できるようになる。
【００１９】
更に、装着孔４は、フランジ部２より一端がわに若干突出するように形成された筒部１の一端部分中央に、鉄筋２０の外径より大きな略円孔状に形成されるので、鉄筋２０が装着孔４を挿通可能となり、鉄筋２０の端部が定着具本体Ａの一端がわから僅かに突出した状態で定着具本体Ａを鉄筋２０に固定できるようになり、鉄筋２０と定着具本体Ａとの螺着状態を容易に確認（視認）でき、施工管理がし易く、取扱いが容易で、使い勝手の優れた鉄筋用定着具となる。
特に、定着具本体Ａを鉄筋２０に螺着させて、連結剤で固定する前にあっては、栓体Ｂが取外された定着具本体Ａを鉄筋２０に沿って移動せしめることができるようになり、他の鉄筋を配筋する場合に、定着具本体Ａが邪魔にならないように簡単に移動できるようになる。
【００２０】
そして、定着具本体Ａは、比較的厚肉な略短筒状の筒部１と、この筒部１の一端外周面に周設される略厚肉円盤状のフランジ部２とを備えているので、フランジ部２の外周部分が筒部１の外表面より突出し、定着具本体Ａ自身の定着安定性が良くなる。
しかも、定着具本体Ａは、その筒部１の外周面が略多角形状に形成されているので、定着具本体Ａを鉄筋２０に螺着する際に、筒部１をスパナ等によって確実に挟むことができるようになる。
【００２１】
それから、雌ネジ孔３は、鉄筋２０外表面との間で僅かな隙間ができるように、螺旋突条２１より稍大きく形成されているので、雌ネジ孔３内表面と鉄筋２０外表面との間に連結剤がスムーズに充填されるようになる。
【００２２】
また、請求項２記載の鉄筋用定着具によれば、栓体Ｂは、適宜金属材や、適宜合成樹脂材や、適宜複合材等によって一体的に形成されると共に、装着孔４に合致するような略横向き短有底円筒状に形成され、その外周面にネジ部１４が設けられ、その底板部中央に比較的小さな略円孔状の注入孔１２が穿設され、その開放されている他端がわ内に、鉄筋２０の端部が収容できるように構成したので、鉄筋２０の端部が定着具本体Ａの一端がわから僅かに突出した状態で定着具本体Ａを鉄筋２０に固定することができるようになる。
【００２３】
更に、請求項３記載の鉄筋用定着具によれば、栓体Ｂの他端面がわには、注入孔１２から注入された連結剤が雌ネジ孔３内表面と鉄筋２０外表面との隙間に移動できるような複数の放射状案内溝を切設したので、注入孔１２から注入した連結剤を雌ネジ孔３内表面と鉄筋２０外表面との隙間にスムーズに移動せしめられるようになる。
【図面の簡単な説明】
【図１】  本発明の鉄筋用定着具を例示する分解斜視図である。
【図２】  本発明の鉄筋用定着具を例示する一部切欠正面図である。
【符号の説明】
Ａ      定着具本体
１      筒部                          ２      フランジ部
３      雌ネジ孔                      ４      装着孔
６      栓体取付部                    ７      ネジ部
Ｂ      栓体
１２    注入孔                        １４    ネジ部
２０    鉄筋                          ２１    螺旋突条
【図１】
0003858239.tif 000002
【図２】
0003858239.tif 000003